(57)【特許請求の範囲】
【請求項１】
低ノイズ増幅器と該低ノイズ増幅器に結合された直交ミキサーとを備えた高周波受信器であって、前記直交低ノイズ増幅器のそれぞれの出力と前記直交ミキサーのそれぞれの入力との間に結合された2つの直交チョッパーをさらに備えたことを特徴とする高周波受信器。
【請求項２】
前記直交低ノイズ増幅器の直交経路が差動的に実施されることを特徴とする請求項１に記載の高周波受信器。
【請求項３】
前記差動的直交低ノイズ増幅器がAB級動作回路として構築されることを特徴とする請求項２に記載の高周波受信器。
【請求項４】
前記直交低ノイズ増幅器が半導体のカスコード構成を有することを特徴とする請求項１乃至３のいずれか1項に記載の高周波受信器。
【請求項５】
前記半導体がNMOST若しくはPMOST等のMOST型又はMESFET等のFET型等であることを特徴とする請求項４に記載の高周波受信器。
【請求項６】
前記半導体のカスコード構成の間にキャパシタが接続されることを特徴とする請求項４又は５に記載の高周波受信器。
【請求項７】
前記直交チョッパー及び直交ミキサーが受動的直交チョッパー/ミキサーに組み合わせられることを特徴とする請求項１に記載の高周波受信器。
【請求項８】
請求項１乃至７のいずれか1項に記載の高周波受信器を具備する、例えば無線受信器、トランシーバ又は移動電話若しくはコードレス電話等の通信装置。
【請求項９】
請求項１乃至７のいずれか1項に記載の高周波受信器のアプリケーションのための直交低ノイズ増幅器。
【発明の詳細な説明】
【０００１】
【発明の属する技術分野】
本発明は、低ノイズ増幅器を有する、高周波受信器のためのフロントエンドに関する。
【０００２】
本発明は、低ノイズ増幅器を有するこのようなフロントエンドが設けられ、前記低ノイズ増幅器に結合される直交ミキサーが設けられるような、高周波受信器にも関し、前記高周波受信器のアプリケーションのための直交低ノイズ増幅器にも関する。
【０００３】
本発明は、このような高周波受信器が設けられる、例えば無線受信器、トランシーバ又は移動電話若しくはコードレス電話等の通信装置にも関する。
【０００４】
【従来の技術】
このような受信器は、1997年12月のIEEE Journal of Solid-State Cicuitsのvol. 32, No. 12の、2071-2088ページの、J.C. Rudell他による‘A 1.9-GHz Wide-Band IF Double Conversion CMOS Receiver for Cordless Telephone Applications’の文献から既知である。幾つかの可能な受信器構成がこの文献に開示されており、ここでは受信器の高無線周波(RF)フロントエンドが逐次的にアンテナ、RFフィルタ、低ノイズ増幅器を有し、この低ノイズ増幅器に更に中間周波数(IF)及びミキサー段が続く。1つ以上のローカルオシレータ(LO)がRF信号をゼロに近いか又はゼロである周波数信号であってもよいIF周波数にミックスするのに用いられる。種々のミキサーの出力における、望ましくない、変化さえするDCオフセットにつながるという、ミキサー入力、中程度のLO絶縁及びセルフミキシングへのローカルオシレータ信号の漏れの問題が知られている。次にDCオフセットは受信器のダイナミックレンジの低減を引き起こし、これは、限定されたチップ面積に集積することが困難であると共にコスト及び電力消費を上昇させる、追加の技術的手段を必要とする。
【０００５】
【発明が解決しようとする課題】
従って本発明の目的は、低減されたコストに対して制限されたチップ面積に完全に集積され得ると共に低減されたDCオフセットを引き起こす、RFフロントエンド及びRF受信器を提供することである。
【０００６】
【課題を解決するための手段】
本発明によるフロントエンド及び高周波受信器は低ノイズ増幅器(LNA)回路が直交LNA回路であることを特徴とする。
【０００７】
直交ミキサーの前に直交LNA回路を導入することにより、ミキサーの入力は直交LNAにより絶縁されるということが、発明者が気付いた本発明によるフロントエンド及びHF受信器の利点である。結果として直交ローカルオシレータ信号のミキサー入力への漏れは効果的に防止され、これはミキサーの出力におけるDCオフセットを低減する。加えて本発明によればこの低減は高周波受信器のダイナミックレンジを増加させる。更に、直交LNAは特定のアプリケーションに対しては更に単純な直交インピーダンス変圧器が生じるように1前後又は1より小さいという中程度の増幅係数を持つということが発見されている。これは、これらLNA変圧器の電力消費を低減させ、これらが占有するICチップ面積を減少させる。
【０００８】
本発明による高周波受信器の1つの実施例は、直交低ノイズ増幅器の直交経路が差動的に実施されることを特徴とする。この結果、低減された2次歪み効果が有利に生じる。加えて、基板揺れに対する感度が低下し、これはまた信号歪みが最小に保たれることを意味する。
【０００９】
本発明による高周波受信器の他の実施例は、差動的直交低ノイズ増幅器がAB級動作回路として構築されることを特徴とする。
【００１０】
このような実施例は高い線形性を持ち、これは相互変調歪みを低減させるが、このようなAB級動作回路に結合される他の回路を駆動するために十分な出力電圧を提供するという能力もある。
【００１１】
本発明による実施が容易であり高周波受信器を実現するための低減された数の部品を有する更に他の実施例は、直交低ノイズ増幅器が半導体のカスコード構成を有することを特徴とする。
【００１２】
適切な好適な半導体はNMOST若しくはPMOST等のMOST型又はMESFET等のFET型等である。
【００１３】
本発明による高周波受信器の他の実施例は半導体のカスコード構成の間にキャパシタが接続されていることを特徴とする。
【００１４】
有利にはこのキャパシタは半導体のカスコード構成のためのローカルなバッテリーとして働き、3次高調波歪みを約10dB低減させる役割も果たす。
【００１５】
本発明による高周波受信器の1つの実施例は直交LNA間のゲイン不整合を解消することにより線形性を向上させるということから望ましく、この実施例は当該高周波受信器が直交低ノイズ増幅器のそれぞれの出力と直交ミキサーのそれぞれの入力との間に結合される2つの直交チョッパーを有することを特徴とする。
【００１６】
本発明による高周波受信器の更に他の実施例において、直交チョッパー及び直交ミキサーが受動的な直交チョッパー/ミキサーに組み合わせられることを当該受信器が特徴とするのであれば、それによりまた更なる電力消費の低下が実現されることが可能であり、これもワンチップ受信器に向けた開発に関連して非常に重要である。
【００１７】
高周波受信器が設けられる、例えば無線受信器、トランシーバ又は移動電話若しくはコードレス電話等の通信装置について同様な利点及び有利な結果が言える。
【００１８】
ここで本発明による高周波受信器は、添付の図面を参照しつつ追加の利点と共に更に説明され、ここで同様な部品は同一の参照番号により参照される。
【００１９】
【発明の実施の形態】
図１は高周波受信器1、特にこの受信器のいわゆるフロントエンドのブロック図を示す。フロントエンドにおいてこのような受信器1は直交低ノイズ増幅器2-1及び2-2の形の低ノイズ増幅器2(以後LNA2)を有し、これらは「入力」と表示される端末、及び、通常バンドパスフィルタ及び/又はアンテナスイッチ(両者共に示されない)を通じて、アンテナ(これも示されない)に結合される。受信器1はIミキサー3-1及びQミキサー3-2も有し、これらは1つの実施例ではILNA2-1及びQLNA2-2の出力4及び5にそれぞれ直接結合されてよい。直交ミキサー3は一般的に1つのローカルオシレータ6の直交出力IO及びQOと結合され、ミキサーIFの出力7及び8は、例えばシグマ-デルタ復調器又はあらゆる他の適切な復調器を含んでよい直交復調器(Demod)9に結合される。示されるようなI経路及びQ経路を持つこのような受信器方式は、例えばゼロIF又はほぼゼロIF受信器等の、多段であり得るIF受信器において用いられることが可能である。特に、このような高周波受信器1が設けられる、例えば無線受信器、トランシーバ又は移動電話若しくはコードレス電話等の通信装置である。直交LNA2を受信器1に組み込むことにより、オシレータ6からのローカルオシレータ出力信号I0及びQ0は、DCオフセットが差動ミキサー出力7及び8において起こるようになるクロスミキシング又はセルフミキシングが防止される。これは改良されたダイナミックレンジを有する受信器1となる。
【００２０】
受信器1は他の実施例では直交チョッパー10-1及び10-2を有してよい。図２は、高周波受信器1のアプリケーションのための受動的であり得る直交チョッパー10の1つの実施例を示す。チョッパー10は、LNA2-1と2-2との間の可能なゲインミスマッチをキャンセルすることにより、受信器1の直交経路I及びQのI信号及びQ信号をスイッチして線形性を向上させる。チョッパー10の実施例は、これが組み合わせられたチョッパーミキサー構造であって、更に受動的であることが、低減された電力消費を示すという点で好ましい。受動的なチョッパーミキサー10は非常に控えめなチップ面積だけでチップ上に実装することが容易な構造を有する。これは、並列結合された半導体11-1及び11-2並びに交差結合された半導体12-1及び12-2により構成され、これらは差動入力13及び14を接続させる。半導体11及び12は、ローカルオシレータ信号LO又はアッパースコアを伴う逆LOによりそれぞれのゲートにおいて適切に制御され時間調整されれば、同種の受動的低電力消費構造によって同時ミキシング及びチョッパー動作を達成する。
【００２１】
高線形性及び高絶縁性の視点からのI又はQLNA2の好ましい実施例が図３に示される。これは、このような直交低ノイズ増幅器を実装する半導体15-1から15-8の受動的低電力消費差動カスコード構成を示す。この場合は差動入力である入力16は、それぞれが4つの半導体15を有する2つの支線に結合される。前の入力4及び5に対応する出力17もこの場合は差動出力であり、半導体15-2、15-3、15-6及び15-7をそれぞれ絶縁することにより、この出力17は入力により制御される半導体15-1、15-4、15-5及び15-8から絶縁される。これは入力16と出力17との間の高い絶縁値を生じさせ、これでミキサー3又はチョッパー10に結合されている出力17は、出力17において存在するかもしれないローカルオシレータ信号によるセルフミキシングを低減させるために入力16から非常によく絶縁されることになる。
【００２２】
図３のLNA2は、それぞれ電圧Vdd及びアースを提供するために結合される回路インピーダンスZ1及びZs以外に、カスコードされた半導体15の間に示されるように結合されたキャパシタCを更に有する。このキャパシタCはカスコード構成に対するバッテリー又は電圧源として働き、LNAの3次歪みを低減させ、改善された線形性をこの構成に提供する。半導体15の構成は、実効出力電流が差動出力17により該差動出力17に結合された他の回路に供給され得るようにAB級回路である。一般的に半導体15はNMOST又はPMOST等のMOST型であるか又はMESFET等のFET型等である。
【００２３】
以上は基本的に好ましい実施例及び最良の可能な形態を参照して説明されたが、添付の請求項の範囲に入る種々の変形例、特徴及び特徴の組み合わせは当業者の手の届く範囲にあるため、これらの実施例は決して関係する装置の限定的な例として解釈されるべきでないことが理解されるであろう。
【図面の簡単な説明】
【図１】  本発明による高周波受信器の簡略化されたブロック図。
【図２】  図１の高周波受信器のアプリケーションのための受動的直交チョッパーの可能な実施例。
【図３】  直交低ノイズ増幅器の1つを実装した半導体の差動カスコード構成の受動的実施例。
【図１】
0004001818.tif 000002
【図２】
0004001818.tif 000003
【図３】
0004001818.tif 000004